(57)【要約】【課題】陰圧容器の内部をより清浄に保つことが可能な医療用吸引器具を提供する。【解決手段】医療用吸引器具１は、陰圧容器２で形成される陰圧により排液を吸引するものである。医療用吸引器具１は、陰圧容器２と、陰圧容器２に接続されて外部にエアを排気する排気部材４と、陰圧容器２に接続されて排液を収容する収容部を有する収容容器３と、を備える。収容容器３の内部から陰圧容器２の内部に至るまでのエアの経路上に、液体及び固体の通過を阻止しつつエアを通すフィルタ１０が設けられている。【選択図】図１
2020075039.tif 000002
【特許請求の範囲】
【請求項１】
陰圧容器で形成される陰圧により排液を吸引する医療用吸引器具であって、
前記陰圧容器と、
前記陰圧容器に接続されて外部にエアを排気する排気部と、
前記陰圧容器に接続されて前記排液を収容する収容部を有する収容容器と、を備え、
該収容容器の内部から前記陰圧容器の内部に至るまでの前記エアの経路上に、液体及び固体の通過を阻止しつつ前記エアを通すフィルタが設けられていることを特徴とする医療用吸引器具。
【請求項２】
前記収容容器は、前記収容部を有する容器本体と、該容器本体の開口を覆い、前記陰圧容器と接続するための接続部を有する接続蓋と、を備え、
前記フィルタは、前記接続蓋における前記容器本体側に配設されている請求項１に記載の医療用吸引器具。
【請求項３】
前記フィルタには、前記フィルタの平均孔径よりも大きな径の通気孔が形成されている請求項１又は２に記載の医療用吸引器具。
【請求項４】
前記フィルタの前記通気孔は、前記収容容器が起立した状態において、前記収容部の中央を通って上方向に延在する仮想線上に形成されている請求項３に記載の医療用吸引器具。
【請求項５】
前記フィルタは、不織布を備えて疎水性を有するシート状のフィルタである請求項１から４のいずれか一項に記載の医療用吸引器具。
【請求項６】
前記収容容器には、前記フィルタが取り付けられるフィルタ取付部があり、
前記フィルタは、前記不織布を含む第１層と、該第１層とは異なる第２層と、を含んで構成されており、
前記第１層は、前記フィルタの厚さ方向における中央よりも前記フィルタ取付部側に配設されている請求項５に記載の医療用吸引器具。
【請求項７】
前記フィルタは、連続気泡型の樹脂製の多孔質材を含み、
該多孔質材は、前記収容部に面して設けられている請求項５又は６に記載の医療用吸引器具。
【請求項８】
前記多孔質材は、前記不織布を構成する繊維の隙間に含浸して前記不織布と結合している請求項７に記載の医療用吸引器具。
【発明の詳細な説明】
【技術分野】
【０００１】
本発明は、フィルタを備える医療用吸引器具に関する。
【背景技術】
【０００２】
人体の創部から血液、滲出液等の体液（排液ともいう。）を、チューブを介して吸引して排出する際に、排液を収容する収容容器と、収容容器に接続されて排液を吸引するための陰圧を生起する陰圧容器を備える医療用吸引器具が一般的に用いられている。
【０００３】
例えば、特許文献１には、排液を収容する収容容器（同文献には、排液容器と記載。）と、収容容器及び吸引レギュレータに接続されて収容容器内を陰圧にするとともに陰圧状態を確認可能とする陰圧容器（同文献には、水封器と記載。）と、を備える医療用吸引器具（同文献には、排液吸引装置と記載。）が開示されている。
同文献に記載の陰圧容器は、パイプを通じて収容容器に連結されている。そして、陰圧容器には、パイプの先端部を浸漬する水が内部に収容されており、吸引レギュレータによって内部に生じた陰圧によりパイプを介して収容容器内の空気を吸引する。この吸引によって収容容器内に、患者の体腔内圧に応じた所定の陰圧が生起される。収容容器内に生じる吸引力は、陰圧容器内において、パイプの先端から水封液（水）中に放出される気泡の発生具合としてモニタされるというものである。
【先行技術文献】
【特許文献】
【０００４】
【特許文献１】特開平１０−２９５８０３号公報
【発明の概要】
【発明が解決しようとする課題】
【０００５】
上記の医療用吸引器具においては、パイプを介して収容容器から陰圧容器への排液の浸入を防止せずに、許容するものであった。このため、例えば収容容器を不意に倒したときには、収容容器からパイプを介して排液が陰圧容器内に流れ込むことも想定され、陰圧容器の清浄性の向上に改善の余地があった。
【０００６】
本発明は、上記課題に鑑みてなされたものであり、陰圧容器の内部をより清浄に保つことが可能な医療用吸引器具を提供することを課題とする。
【課題を解決するための手段】
【０００７】
本発明の医療用吸引器具は、陰圧容器で形成される陰圧により排液を吸引する医療用吸引器具であって、前記陰圧容器と、前記陰圧容器に接続されて外部にエアを排気する排気部と、前記陰圧容器に接続されて前記排液を収容する収容部を有する収容容器と、を備え、該収容容器の内部から前記陰圧容器の内部に至るまでの前記エアの経路上に、液体及び固体の通過を阻止しつつ前記エアを通すフィルタが設けられていることを特徴とする。
【発明の効果】
【０００８】
本発明の医療用吸引器具は、陰圧容器の内部をより清浄に保つことが可能となる。
【図面の簡単な説明】
【０００９】
【図１】本実施形態に係る医療用吸引器具を示す斜視図である。
【図２】ボトルキャップの底面図である。
【図３】ボトルキャップ周りの断面を示す図であり、図２のIII-III断面を示す図である。
【図４】本実施形態に係るフィルタの断面を拡大して示す拡大断面図である。
【図５】変形例に係るフィルタの断面を拡大して示す拡大断面図である。
【発明を実施するための形態】
【００１０】
以下、本発明の医療用吸引器具の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。以下において、「上下方向」は、図１に示すように、医療用吸引器具１を立設させた状態における上下方向をいう。
【００１１】
＜概要＞
まず、本実施形態に係る医療用吸引器具１の概要について、図１及び図２を主に参照して説明する。図１は、本実施形態に係る医療用吸引器具１を示す斜視図、図２は、ボトルキャップ９の底面図である。
本実施形態に係る医療用吸引器具１は、陰圧容器２で形成される陰圧により排液を吸引するものである。医療用吸引器具１は、陰圧容器２と、陰圧容器２に接続されて外部にエアを排気する排気部（排気部材４）と、陰圧容器２に接続されて排液を収容する収容部３ｅを有する収容容器３と、を備える。
収容容器３の内部から陰圧容器２の内部に至るまでのエアの経路上に、液体及び固体の通過を阻止しつつエアを通すフィルタ１０が設けられている。
【００１２】
フィルタ１０が収容容器３の内部から陰圧容器２の内部に至るまでのエアの経路上に設けられていることで、収容容器３を不測に倒す等により、通常の使用状態（起立状態）と異なる状態（倒伏状態）になったときでも、収容容器３内に収容された排液が陰圧容器２に移動することを防止できる。
このように、収容容器３から陰圧容器２への排液の移動を抑制することで、例えば陰圧容器２にバルーン５が設けられているときにバルーン５が排液に接触して劣化することを防止でき、陰圧容器２を清浄に保つことができる。また、排液が陰圧容器２を介して更に外部に漏出（噴出）することを防止できる。
【００１３】
＜各部の構成＞
次に、図１及び図２に加えて図３を主に参照して、医療用吸引器具１の各部の構成について説明する。図３は、ボトルキャップ９周りの断面を示す図であり、図２のIII-III断面を示す図である。
陰圧容器２は、圧力状態を確認等するためのバルーン５を備える。また、陰圧容器２の下部には、陰圧容器２内のエアを外部と連通させてエアを抜くことが可能なキャップ２ａが取り付けられている。また、キャップ２ａによってバルーン５が陰圧容器２の内部に配設されている。
陰圧容器２と収容容器３とは、連結チューブ６によって内部を連結されている。
【００１４】
収容容器３は、収容部３ｅを有する容器本体３ｄと、容器本体３ｄの開口を覆い、連結チューブ６を介して陰圧容器２と接続するための接続部（接続ボス９ａ）を有する接続蓋（ボトルキャップ９）と、を備える。
ボトルキャップ９は、図１に示すように、上方に突出する集液ポート９ｂを有する。収容容器３は、集液ポート９ｂに不図示のチューブが接続されて、収容容器３内に排液を収容可能に構成されている。集液ポート９ｂには、クランプ部材３ｂが取り付けられており、クランプ部材３ｂによって集液ポート９ｂに繋がる流路を閉塞することで、人体から収容容器３内への排液の流入を止めることが可能に構成されている。
【００１５】
収容容器３（ボトルキャップ９における容器本体３ｄ側）には、フィルタ１０が取り付けられるフィルタ取付部９ｄが設けられている。フィルタ取付部９ｄは、円板状のフィルタ１０の周縁が接着（又は溶着）される段差部を有して、底面視において円形状に形成されており、周囲よりも下方に突出して形成されている。
【００１６】
図３に示すように、ボトルキャップ９の収容部３ｅ側の面における、接続ボス９ａの周辺には、返し突起９ｅが、収容部３ｅ側（フィルタ１０側）に突出して形成されている。返し突起９ｅは、収容容器３が倒され、後述する通気孔１０ａを通って排液がフィルタ１０よりも連結チューブ６側に流れ込んだときに、連結チューブ６に流れ込むことを抑制するためのものである。返し突起９ｅは、断面円形状（環状）に形成されており、接続ボス９ａを貫通する貫通孔の周囲から、収容部３ｅ側に突出して形成されている。
返し突起９ｅによれば、エアが接続ボス９ａと通気孔１０ａの間が通るのを許容しつつ、通気孔１０ａから流入した排液が連結チューブ６に通ることを抑制することができる。
また、ボトルキャップ９の収容部３ｅ側の面には、集液ポート９ｂに繋がる円筒状の内側ボス９ｃが、収容部３ｅ側（下方）に突出して形成されている。
【００１７】
排気部材４は、医療用吸引器具１（陰圧容器２）内のエアを外部に排気して陰圧容器２内を陰圧状態にするためのものであり、排気部側一方弁７と、不図示の陰圧容器側一方弁を、陰圧容器側と排気口側に有する。排気部材４は、弾性を有して自然状態と自然状態から圧搾された圧搾状態とに変形可能に構成されている。
【００１８】
＜フィルタについて＞
フィルタ１０は、フィルタ取付部９ｄに取り付けられて、ボトルキャップ９における容器本体３ｄ側に配設されている。
フィルタ１０がボトルキャップ９に取り付けられていることにより、ボトルキャップ９を容器本体３ｄに取り付けることによって、収容容器３にフィルタ１０を容易に配設することができる。収容容器３に配設されたフィルタ１０は、陰圧容器２と収容容器３とを連通する連結チューブ６の内部空間と収容容器３の内部空間と、を隔てるように配設されることになる。
【００１９】
なお、本発明に係るフィルタは、収容容器３の内部から陰圧容器２の内部に至るまでのエアの経路上に設けられていれば、ボトルキャップ９に取り付けられるフィルタ１０に限定されない。
例えば、フィルタは、連結チューブ６の内部に設けられていてもよく、連結チューブ６を分割して構成されるようにして、その間に設けられて分割された部材同士を連結する不図示の継手の内部に設けられていてもよい。
さらには、フィルタは、ボトルキャップ９が設けられていないものである場合等には容器本体３ｄに取り付けられているものであってもよく、陰圧容器２の内部において、連結チューブ６と陰圧容器２の内部空間とを隔てる位置に配設するようにしてもよい。
【００２０】
フィルタ１０には、フィルタ１０の平均孔径よりも大きな径の通気孔１０ａが形成されている。「フィルタ１０の平均孔径」とは、具体的には、後述する多孔質材１０ｄに多数設けられた孔の平均孔径であり、例えば、フィルタ１０のうち、通気孔１０ａが形成されていない部分を切り出した試験片を用いて、水銀圧入法で測定して算出される値をいう。
フィルタ１０に、必ずしも通気孔１０ａが形成されている必要はない。しかしながら、通気孔１０ａがフィルタ１０に形成されていることで、フィルタ１０の一部が排液で目詰まりしたときに、通気能力が完全に失われることを回避しやすくなり、その後の排液操作に継続して行いやすくなる。
【００２１】
フィルタ１０の通気孔１０ａは、図１に示す収容容器３が起立した状態において、収容部３ｅの中央を通って上方向に延在する仮想線Ｌ上に形成されている。
「収容容器３が起立した状態」には、自立して起立した状態の他に、例えばベッド脇の棚の一部に収容容器３の一部がかけられて、底面が浮いている状態で自立して起立した状態と同様の姿勢になっているものを含む。
このように、通気孔１０ａが、収容容器３の収容部３ｅの中央を通って上方向に延在する仮想線Ｌ上に形成されていることで、収容容器３をいずれの向きに倒したときでも、排液を通気孔１０ａに達しにくくすることができる。
つまり、排液が収容容器３の半分から通気孔１０ａの半径よりも低い高さまでしか収容されていなければ、収容容器３を倒してそのまま放置していても排液が通気孔１０ａから漏れ出すことがない。このため、収容容器３に収容された排液が、通気孔１０ａを通り、連結チューブ６を介して陰圧容器２に流れ込むことを抑制できる。
【００２２】
本実施形態においては、通気孔１０ａは、円形のフィルタ１０の中央に設けられており、仮想線Ｌ上に配置されているが、このような構成に限定されない。つまり、通気孔１０ａは、フィルタ１０の中央でなくフィルタ１０の隅の方に設けられているものであっても、仮想線Ｌ上に配置されていればよい。
【００２３】
また、フィルタ１０には、上記のボトルキャップ９に設けられた内側ボス９ｃを通すための、内側ボス９ｃの外径と同一又は若干大きい径で形成された通し孔１０ｂが形成されている。内側ボス９ｃと内側ボス９ｃを通す通し孔１０ｂとにより、集液ポート９ｂから導入される排液が、通常状態（起立状態）においてフィルタ１０に触れることを避けて、収容部３ｅに排液を回収できることになる。
【００２４】
＜フィルタの構成材について＞
次に、フィルタ１０の構成材について、図４を主に参照して説明する。図４は、本実施形態に係るフィルタ１０の断面を拡大して示す拡大断面図である。
フィルタ１０は、不織布１０ｃを備えて、少なくとも収容部３ｅ側の表面が疎水性を有するシート状のフィルタである。
具体的には、本実施形態に係るフィルタ１０は、メンブレンとして、アクリル共重合体を含む連続気泡型の樹脂製の多孔質材１０ｄ、サポート材として、ナイロン製の不織布１０ｃを備える。本実施形態に係るフィルタ１０は、不織布１０ｃに対して多孔質材１０ｄが両面や内側にあり、層としてははっきりと分かれておらず、フィルタ１０に表面、裏面の区別はない。そして、多孔質材１０ｄが疎水性を有する部材であり、不織布１０ｃが疎水性を有するか否かは任意である。
【００２５】
このように、フィルタ１０が、不織布１０ｃを備えて、少なくとも収容部３ｅ側の表面が疎水性を有するシート状のものであることで、液体及び固体の通過を阻止しつつ通気することができ、かつサポート材としての不織布１０ｃの特性によりフィルタ１０の形状を安定させることができる。
なお、フィルタ１０は、「疎水性を有する」ものとして説明したが、厳密には「収容部３ｅ側の表面全体として疎水性を有する」の意であり、収容部３ｅ側の表面以外の一部に親水性を有するものが含まれていてもよい。
【００２６】
特に、フィルタ１０の多孔質材１０ｄが、収容部３ｅに面して（露出して）設けられていると好ましい。
このように、フィルタ１０が、収容部３ｅに面する樹脂製の連続気泡型の多孔質材１０ｄ（例えば、樹脂メンブレン）を備えることで、多孔質材１０ｄによって、収容部３ｅからのエアを通しつつ排液を好適に捕捉できることで、収容部３ｅに収容された排液が陰圧容器２に向かうことを好適に回避することができる。
また、多孔質材１０ｄは、不織布１０ｃを構成する繊維の隙間に含浸して不織布１０ｃと結合している。多孔質材１０ｄが不織布１０ｃに含浸して両者が結合していることで、多孔質材１０ｄと不織布１０ｃとの結合力が高められることとなる。
【００２７】
上記のように、多孔質材１０ｄが、収容部３ｅ側に設けられていると好適であるが、このような構成に限定されない。つまり、フィルタ１０のどちらの面をフィルタ取付部９ｄに取り付けるかは任意に選択可能である。
【００２８】
＜＜変形例＞＞
次に、変形例に係るフィルタ１０Ｘの構成材について、図５を主に参照して説明する。図５は、変形例に係るフィルタ１０Ｘの断面を拡大して示す拡大断面図である。
変形例に係るフィルタ１０Ｘは、メンブレンとして、ポリアリルスルホン（ＰＡＳ）を含む連続気泡型の樹脂製の多孔質材１０ｆ、サポート材として、ポリエステル製の不織布１０ｅを備える。
【００２９】
フィルタ１０Ｘは、不織布１０ｅを含む第１層１０ｇと、第１層１０ｇとは異なる第２層１０ｈと、を含んで構成されている。第１層１０ｇは、フィルタ１０Ｘの厚さ方向における中央よりもフィルタ取付部９ｄ側に配設されている。より具体的には、第１層１０ｇは、フィルタ取付部９ｄ側の表面に露出するように配設されている。
このように、不織布１０ｅを含む第１層１０ｇが、フィルタ１０Ｘの厚さ方向における中央よりもフィルタ取付部９ｄ側に配設されていることで、第１層１０ｇにより、フィルタ取付部９ｄ側のフィルタ１０Ｘの形状を安定させることができる。換言すると、第１層１０ｇの不織布１０ｅ部分における形状の変化を抑制できることで、フィルタ取付部９ｄからのフィルタ１０Ｘの剥離を抑制できる。
さらに、第１層１０ｇと比較して排液をより捕捉する領域であり、多孔質材１０ｆを多く含む第２層１０ｈを、フィルタ１０Ｘの厚さ方向に広く確保することができる。
【００３０】
なお、第２層１０ｈに不織布１０ｅが全く含まれていないものに限定されない。つまり、第１層１０ｇ及び第２層１０ｈのそれぞれが、多孔質材１０ｄと不織布１０ｅと、から構成されているものであっても、第１層１０ｇに含まれる不織布１０ｅの割合が、第２層１０ｈに含まれる不織布１０ｅの割合よりも高ければよい。
【００３１】
上記のように、第１層１０ｇがフィルタ取付部９ｄ側に配設されていると好適であるが、このような構成に限定されない。つまり、フィルタ１０Ｘのどちらの面をフィルタ取付部９ｄに取り付けるかは任意に選択可能である。
【００３２】
上記実施形態は、以下の技術思想を包含するものである。
（１）陰圧容器で形成される陰圧により排液を吸引する医療用吸引器具であって、
前記陰圧容器と、
前記陰圧容器に接続されて外部にエアを排気する排気部と、
前記陰圧容器に接続されて前記排液を収容する収容部を有する収容容器と、を備え、
該収容容器の内部から前記陰圧容器の内部に至るまでの前記エアの経路上に、液体及び固体の通過を阻止しつつ前記エアを通すフィルタが設けられていることを特徴とする医療用吸引器具。
（２）前記収容容器は、前記収容部を有する容器本体と、該容器本体の開口を覆い、前記陰圧容器と接続するための接続部を有する接続蓋と、を備え、
前記フィルタは、前記接続蓋における前記容器本体側に配設されている（１）に記載の医療用吸引器具。
（３）前記フィルタには、前記フィルタの平均孔径よりも大きな径の通気孔が形成されている（１）又は（２）に記載の医療用吸引器具。
（４）前記フィルタの前記通気孔は、前記収容容器が起立した状態において、前記収容部の中央を通って上方向に延在する仮想線上に形成されている（３）に記載の医療用吸引器具。
（５）前記フィルタは、不織布を備えて疎水性を有するシート状のフィルタである（１）から（４）のいずれか一項に記載の医療用吸引器具。
（６）前記収容容器には、前記フィルタが取り付けられるフィルタ取付部があり、
前記フィルタは、前記不織布を含む第１層と、該第１層とは異なる第２層と、を含んで構成されており、
前記第１層は、前記フィルタの厚さ方向における中央よりも前記フィルタ取付部側に配設されている（５）に記載の医療用吸引器具。
（７）前記フィルタは、連続気泡型の樹脂製の多孔質材を含み、
該多孔質材は、前記収容部に面して設けられている（５）又は（６）に記載の医療用吸引器具。
（８）前記多孔質材は、前記不織布を構成する繊維の隙間に含浸して前記不織布と結合している（７）に記載の医療用吸引器具。
【符号の説明】
【００３３】
１  医療用吸引器具
２  陰圧容器
２ａ  キャップ
３  収容容器
３ｂ  クランプ部材
３ｄ  容器本体
３ｅ  収容部
４  排気部材（排気部）
５  バルーン
６  連結チューブ
７  排気部側一方弁
９  ボトルキャップ（接続蓋）
９ａ  接続ボス（接続部）
９ｂ  集液ポート
９ｃ  内側ボス
９ｄ  フィルタ取付部
９ｅ  返し突起
１０、１０Ｘ  フィルタ
１０ａ  通気孔
１０ｂ  通し孔
１０ｃ、１０ｅ  不織布
１０ｄ、１０ｆ  多孔質材
１０ｇ  第１層
１０ｈ  第２層
Ｌ  仮想線
【図１】
2020075039.tif 000003
【図２】
2020075039.tif 000004
【図３】
2020075039.tif 000005
【図４】
2020075039.tif 000006
【図５】
2020075039.tif 000007